(57)【特許請求の範囲】
【請求項１】
データチャンネル上で少なくともデータ信号を伝送するように動作できる通信局において、前記データチャンネル上を音声信号を選択したスループットレートで音声信号を伝送する改良された音声送信機回路であって、
前記音声信号を受信しかつ前記データ信号を受信するように結合され、前記音声信号を第１のフォーマットに従ってフレームにフォーマットし、かつ前記データ信号を第２のフォーマットに従ってフレームにフォーマットするフォーマッタであって、前記音声信号が前記第１のフォーマットに従ってフォーマットされる前記フレームは、高レベルデータリンク制御フォーマット化手順の番号無し情報フレームを構成し、かつ、前記データ信号が前記第２のフォーマットに従ってフォーマットされる前記フレームは、高レベルデータリンク制御フォーマット化手順の番号付き情報フレームを構成するようにした、フォーマッタと、
前記フォーマッタによってフォーマットされた後に前記音声信号と前記データ信号を受けるように結合され、前記データ信号と前記音声信号とを共に多重化して多重化信号を形成するマルチプレクサと、
前記マルチプレクサによって形成された前記多重化信号を受けるように結合され、前記音声信号が一部を形成している前記多重化信号を前記データチャンネル上を前記選択したスループットレートで送信する送信機と、を具備した音声送信機回路。
【請求項２】
請求項１記載の音声送信機回路において、前記マルチプレクサによって形成された前記多重化信号は前記フォーマッタが前記音声信号および前記データ信号の両方をフォーマットするフレームのシーケンスを形成するようにした音声送信機回路。
【請求項３】
請求項１記載の音声送信機回路において、前記音声信号を選択したコード化手順に従ってコード化するコーダを更に具備しており、前記フォーマッタは前記コーダに結合されて前記音声信号を前記コーダによってコード化された後に受信するようにした音声送信機回路。
【請求項４】
請求項３記載の音声送信機回路において、前記第１のフォーマットにフォーマットされた前記音声信号は急送情報フレームを構成し、前記マルチプレクサは前記多重化信号を形成するフレームのシーケンスへの急送情報フレームの挿入を早めるようにした音声送信機回路。
【請求項５】
請求項１記載の音声送信機回路において、前記送信機は前記多重化信号を無線周波数で変調する無線周波数変調器を具備した音声送信機回路。
【請求項６】
請求項１記載の音声送信機回路において、前記送信機は前記多重化信号を赤外線周波数で変調する赤外線周波数変調器を具備した音声送信機回路。
【請求項７】
請求項１記載の音声送信機回路において、前記通信局はボイス・オーバ・データ信号のトランシーバ動作を行なうことができる第１の無線トランシーバを具備しており、前記無線トランシーバはそれに送信された受信信号を受信する受信回路を更に有しており、前記受信信号は前記第２のフォーマットに従ってフォーマットされた前記データ信号を形成する前記多重化信号の部分の正確な伝送の確認応答を備えており、前記送信機は前記確認応答が無い場合に、前記第２のフォーマットに従ってフォーマットされた前記データ信号を形成する前記多重化信号の部分の伝送を反復するようにした音声送信機回路。
【請求項８】
請求項７記載の音声送信機回路において、前記確認応答は第２の無線トランシーバによって送信され、前記データ信号をフォーマットする前記第２のフォーマットは前記データ信号の部分を識別する番号付き識別子を備えた音声送信機回路。
【請求項９】
請求項８記載の音声送信機回路において、前記第１の無線トランシーバは無線電話機からなり、前記フォーマッタ、前記マルチプレクサおよび前記送信機は前記無線電話機に包含された音声送信機回路。
【請求項１０】
請求項８記載の音声送信機回路において、前記第１の無線装置はマルチメディア装置からなり、前記フォーマッタ、前記マルチプレクサおよび前記送信機は前記マルチメディア装置に包含された音声送信機回路。
【請求項１１】
データチャンネル上で伝送されたデータ信号を受信するように動作可能な通信局において、前記データチャンネル上で前記データ信号と共に伝送される音声信号を受信する改良された受信機回路であって、
前記データ信号と前記データチャンネルでそれと共に伝送された前記音声信号とで形成される受信信号を受信する受信機であって、前記音声信号は第１のフォーマットに従ってフレームにフォーマットされ、該第１のフォーマットは高レベルデータリンク制御フォーマット化手順の番号無し情報フレームを構成し、かつ、前記データ信号は第２のフォーマットに従ってフレームにフォーマットされ、該第２のフォーマットは高レベルデータリンク制御フォーマット化手順の番号付き情報フレームを構成するようにした、受信機と、
前記受信機によって受信された前記受信信号の指示を受けるように前記受信機に結合され、前記音声信号を形成する前記受信信号の部分を検出する検出器と、
前記検出器に応じて動作し、前記検出器によって検出された前記受信信号の部分を抽出して前記音声信号が形成されるようにする抽出器と、を具備した受信機回路。
【請求項１２】
第１の通信局と第２の通信局との間で音声信号をデータ信号と共にデータチャンネルで通信する通信システムにおいて、援助通信システムが、
前記第１の通信局に位置決めされ、前記音声信号と前記データ信号とを受信するように結合され、前記音声信号を第１のフォーマットに従ってフレームにフォーマットしかつ前記データ信号を第２のフォーマットに従ってフレームにフォーマットするフォーマッタであって、前記音声信号が第１のフォーマットに従ってフォーマットされる前記フレームは、高レベルデータリンク制御フォーマット化手順の番号無し情報フレームを構成し、かつ、前記データ信号が第２のフォーマットに従ってフォーマットされる前記フレームは、高レベルデータリンク制御フォーマット化手順の番号付き情報フレームを構成するようにした、フォーマッタと、
前記フォーマッタによってフォーマットされた後に前記音声信号と前記データ信号を受けるように結合され、前記データ信号と前記音声信号とを共に多重化して多重化信号を形成するマルチプレクサと、
前記多重化信号を受けるように結合され、前記音声信号が一部を形成する前記多重化信号を前記データチャンネル上で送信する送信機と、
前記第２の通信局に位置決めされ、前記データ信号と前記データチャンネルでそれと共に伝送された前記音声信号とで形成される受信信号を受信する受信機と、
前記受信機によって受信された前記受信信号の指示を受けるため前記受信機に結合され、前記第１のフォーマットに従ってフォーマットされた前記受信信号の部分を検出する検出器と、
前記検出器に応じて動作し、前記第１のフォーマットに従ってフォーマットされたものとして前記検出器によって検出された前記受信信号の位置を抽出する抽出器と、を具備した通信システム。
【請求項１３】
音声信号をデータ信号と共にデータチャンネルで伝送する方法において、
前記音声信号を第１のフォーマットに従って高レベルデータリンク制御フォーマット化手順の番号無し情報フレームとしてフォーマットするステップと、
前記データ信号を第２のフォーマットに従って高レベルデータリンク制御フォーマット化手順の番号つき情報フレームとしてフォーマットするステップと、
前記第１のフォーマットに従ってフォーマットされた前記音声信号と前記第２のフォーマットに従ってフォーマットされた前記データ信号とを共に多重化して多重化信号を形成するステップと、
前記音声信号が一部形成している前記多重化信号を前記データチャンネルで伝送するステップと、を具備した方法。
【発明の詳細な説明】
発明の技術分野
本発明は、一般的に、例えば無線電話装置および無線電話通信システムの下部構造間の伝送、あるいは例えば無線電話装置および周辺装置間の通信信号の伝送のような、無線通信システムにおける情報の伝送に関する。より詳細には、本発明は、データ信号が選択したレベルの信頼性で伝送されるデータチャンネルで所望のスループットレベルをもって音声信号を伝送する回路および関連方法に関する。
本発明の実施例の動作はデータ信号および音声信号がデータチャンネルで共に伝送されるようにする。データ信号の通信は選択したレベルの信頼性で行なわれ、かつ音声信号の通信は選択したスレープットレベルで行なわれる。それによって、ボイスメール、ボイスページング、マルチメディアおよび他のボイス・オーバ・データ応用分野で使用されるもののような通話のバーストは無線データチャンネルで伝送されるようになる。無線電話装置に関連して使用される時には、音声およびデータ信号はポータブルコンピュータのような周辺装置と無線電話装置との間で通信されることができる。同様のこのような信号もまた無線電話装置と無線電話通信システムの下部構造との間でも通信されることができる。ケーブルにより周辺装置と無線電話装置とを接続する必要性が除去され、音声およびデータ信号の両者を通信するための別々の通信チャンネルを同時に用いる必要性も除去される。
発明の背景
電話通信を行なうための無線電話通信システムの使用は近年広く普及してきている。このようなシステムで電話通信を行なうために有線接続が不用であるために、有線接続の施工が実現困難かあるいは不可能である位置でも無線電話通信システムによる通信は可能である。他の形式の通信も同様に広く使用されている。セルラ通信システムは無線電話通信システムの典型例である。セルラ通信システムの下部構造を形成するセルラ通信網は世界の大部分に渡って張りめぐらされており、このようなセルラ網への多数の加入者はこのようなセルラ網によって包囲されている区域に位置すると電話通信を行なうことができる。音声およびデータの両方の電話通信がこのようなシステムで行なわれている。
ユーザがこの網によって包囲されている地理的区域の中のどこかに位置している移動トランシーバすなわち「セルラ電話機」あるいは「加入者ユニット」により通信システムに従って通信することができるためにセルラ通信システムの使用は有利である。通信を行なうために有線接続が不用であるために、例えば自動車で移動している時、あるいは通常の有線装置による通信が不便であるか実現困難であるような他の状況にある時にユーザによる電話通信が行なわれ得る。他の形式の無線通信システムも、通信を行なうために有線接続が不用であるために同様に有利に使用される。
セルラあるいは他の無線電話通信方式による通信は多分最も典型的には音声通信を行なうために用いられるものと考えられるが、他の形式の信号の通信の実行もセルラまたは無線電話通信システムに従ってまた可能である。例えば、ポータブル計算装置で発生されるかあるいは記憶されているコンピュータファイルのような通信データに対する無線電話装置の使用がますます普及してきている。ポータブル計算装置を無線電話装置に好適に接続することによって、この計算装置に記憶されているかあるいはそれで発生されたデータはその接続により電話装置に与えられる。無線電話装置はそのデータを無線電話通信システムの固定網下部構造に伝送する。データを網下部構造から伝送してポータブル計算装置に記憶させるようにするかあるいは他に使用されるようにするために逆のプロセスが用いられる。
このようなデータを伝送する標準化された態様を与えるために高レベルデータリンク制御（ＨＤＬＣ）プロトコルのような標準化プロトコルが普及している。同様のこのような標準化プロトコルがこれらおよび他の通信システムで使用するために普及している。
データを通信する時に、データ伝送の信頼性は典型的に最高に重要なものとなる。すなわち、伝送データの適切な受信は典型的にデータ伝送の成功を決定する上で主たる考慮のものとなる。データの伝送部分が信頼性をもって通信されなかった場合にデータは再伝送され得る。
上述したＨＤＬＣプロトコルはデータのフレームの受信を確認応答しかつこのような確認応答が無ければその再伝送を行なうようにする態様を与える。
音声信号の誤差無し伝送は最適な品位の音声通信を行なわせるが、音声信号の伝送は典型的にデータの通信で許容されるものよりも誤差が幾分かより大きく許容される。すなわち、音声通信の品位は音声信号が誤差無しで伝送されなければ減少されるが、音声信号の伝送の間に導入される誤差が伝送音声信号の再生を妨げるのに十分でなければ、伝送信号は聴取者によって理解できるものとなる。音声信号の誤差無し伝送を確保するためのその再伝送は典型的には不用である。更にまた、音声通信が２方向会話に従ってなされる場合には、このような音声信号の再伝送は実行不可能である。データ信号の伝送と対照的に、音声信号の誤差無し伝送は音声信号が通信される速度に関しては減少した重要性のものとなる。
音声信号をデータ信号と共に伝送する必要性は多くの形式の通信装置の動作においてますます必要になってきている。マルチメディア通信装置はボイス・オーバ・データ（ｖｏｉｃｅ−ｏｖｅｒ−ｄａｔａ）を通信することを必要とする。音声信号およびデータ信号が無線電話通信システムのような無線通信システムで伝送されなければならない時に、所望のスループットレベルでの音声信号の伝送および所望のレベルの信頼性でのデータ信号の伝送は極めて大きな問題となっていた。
従って、所望のレベルの信頼性でデータ信号を伝送しかつ所望のスループットレベルで音声信号を伝送するようにして、音声信号をデータ信号と共に伝送するようにする態様が必要とされるものとなる。
無線電話通信システムのような無線通信システムで音声およびデータ信号の伝送に関連したこの背景情報に照らして、本発明の顕著な改良が行なわれた。
発明の概要
本発明は無線通信システムにおいて音声信号のデータ信号と一緒の伝送を有利に与える。データ信号の通信は必要なレベルの信頼性で行なわれ、音声信号の通信は必要なスループットレベルで行なわれる。
無線電話装置に関連して使用される時には、音声およびデータの両信号は無線電話装置と無線電話通信システムの下部構造との間で伝送されることができる。データおよび音声の両信号は同様に周辺装置と無線電話装置との間を無線通信チャンネルで伝送されることができる。ボイスメールシステム、ボイスページングシステムあるいはマルチメディアシステムで伝送された通話バーストのような通話のバーストはこのようなシステムの動作を行なわせるようにデータと共に伝送されることができる。
データチャンネルで音声およびデータの両信号を伝送するために高レベルデータリンク制御（ＨＤＬＣ）プロトコル手順が使用され得る。一実施例において、データ信号はこのようなＨＤＬＣプロトコル手順で定められる番号付きフレームとして伝送され、音声信号はこのようなＨＤＬＣプロトコル手順で定められる番号無し情報フレームで伝送される。
音声信号は周辺装置と無線電話装置との間に形成された無線通信チャンネルでデータ信号と共に伝送されることができるために、周辺装置と無線電話装置とを相互接続するために他に必要な配線コネクタの必要性はなくなる。そして、音声信号は実在のＨＤＬＣプロトコル手順に応じてデータ信号と共に伝送されることができるため、このようなプロトコル手順を用いる実在の無線電話通信システムがこのような音声およびデータ信号を伝送（送信）したり受信したりするために用いられることができる。
従って、これらおよび他の特徴において、データチャンネルでデータ信号を少なくとも伝送するように動作できる通信局は選択したスループット速度で音声信号を送信するために音声送信機を含んでいる。音声信号はデータチャンネルで送信される。音声信号を受信するためにフォーマッタが結合されている。このフォーマッタは音声信号を第１のフォーマットに応じてフォーマットし、かつデータ信号を第２のフォーマットに応じてフォーマットする。音声信号およびデータ信号をフォーマッタによりフォーマットした後に受信するためにマルチプレクサが結合されている。このマルチプレクサはデータ信号と音声信号を共に多重化し多重化信号を形成する。マルチプレクサによって形成されたこの多重化信号を受信するために送信機が結合されている。この送信機は選択されたスループット速度でデータチャンネル上で多重化信号（音声信号がその一部を形成している）を送信する。
本発明のより完全な理解およびその範囲の理解は以下に簡単に要約されている添付図面、後の詳細な説明並びに請求に範囲から得られることができる。
【図面の簡単な説明】
図１は本発明の一実施例が動作可能である無線電話通信システムの機能的ブロック図を示す。
図２は本発明の一実施例において音声信号のデータ信号と一緒の伝送を行なわせる例示的なデータ伝送手順を示す。
図３は本発明の一実施例のポータブル計算装置であって、図１に示された通信システムの一部を形成するものの機能的ブロック図を示す。
図４は本発明の一実施例の無線電話装置であって、図１に示された通信システムの一部を形成するものの機能的ブロック図である。
詳細な説明
最初に図１を参照すると、１０で一般的に示されている通信システムは音声信号をデータ信号と共に通信するように動作できるようになっている。通信システム１０は事実例示的なもので、本発明の一実施例の動作を説明するために示されている。初めに、本発明の種々の実施例が通信システム１０に関連して記載されるものと類似する態様で音声信号をデータ信号と共に伝送するために他の無線通信システムで実施されてもよいことを留意される必要がある。
通信システム１０は移動加入者ユニット１２を含んでおり、これは１つあるいはそれ以上の無線通信チャンネル１６により固定位置の基地局１４と通信を行なうように動作できる。加入者ユニット１２および基地局１４はここではセルラ通信システムの部分を形成している。別態様として、加入者ユニット１２および基地局は他の形式の無線電話通信システムの部分を形成してもよい。
基地局１４と通信を行なわせる加入者ユニット１２の回路に加えて、加入者ユニット１２はその加入者ユニット１２と「パーソナルデジタルアシスタント（登録商標）」のような計算装置２２との間で通信を行なわせるトランシーバ回路１８もよって表された回路を更に含んでいる。
ポータブル計算装置２２は１つあるいはそれ以上の通信チャンネル２６により加入者ユニット１２のトランシーバ回路１８と無線通信を行なわせるトランシーバ回路２４を含んでいる。
基地局１４はライン２８により移動局交換センタ３２に結合されている。次いで、移動局交換センタ３２はライン３４により相互接続ユニット（ＩＷＵ）３６に結合されている。ＩＷＵ３６は音声およびデータのモデム３８の一部を形成する。音声およびデータのモデム３８はライン４４により公衆電話交換網（ＰＳＴＮ）４２に通常の態様で結合されている。
ポータブル計算装置４６は音声およびデータのモデム４８によりライン５２でＰＳＴＮ４２に同様通常の態様をなして結合されている。
動作時に、パーソナル計算装置２２および４６で発生されるかあるいは記憶されているデータは無線通信チャンネル１８および２６により加入者ユニット１２を介して互いに通信されることができる。音声信号はデータ信号と共に無線通信チャンネルで伝送されることができ、その際に音声信号は選択したスループットレベルで伝送され、他方データ信号は選択したレベルの信頼性で伝送される。
それにより、パーソナル計算装置２２および４６間で例えばマルチメディア通信を可能とするようにボイス・オーバ・データ通信が行なわれる。
一実施例において、通信システム１０の種々の要素は前に述べた高レベルデータリンク制御（ＨＤＬＣ）標準の標準化プロトコル手順を用いて通信を行なうように構成されている。以下により詳細に記載されるように、ＨＤＬＣ標準の実在のプロトコル手順が無線通信チャンネルで音声信号およびデータ信号の両方を伝送するために使用される。
音声信号はこのような伝送の信頼性を保証することなしに所望のスループットレベルで伝送され、他方データ信号は選択した信頼性のレベルで伝送され、それによってデータ信号が少なくとも選択されたレベルの精度で伝送されることができるようになる。例えばポータブル計算装置２２のトランスジューサ素子で発生された音声信号はそのポータブル計算装置で発生されるかそこに記憶されているデータを表すデータ信号と共に伝送される。
音声信号はポータブル計算装置２２で発生されるデータ信号と共にトランシーバ回路２４により無線通信チャンネル２６で送信され、かつ加入者ユニット１２のトランシーバ回路１８で受信される。例えば、トランシーバ回路２４および１８は、ＩｒＤＡ標準手順によって定められているもののような赤外線周波数であるいは例えばＩＥＥＥ８０２．１１標準のような無線ローカルエリアネットワーク（ＬＡＮ）標準で定められるもののような無線周波数データリンクで音声およびデータ信号を伝送することができる。
加入者ユニット１２のトランシーバ回路１８が無線通信チャンネル２６でそれに伝送される音声およびデータ信号を受けた後に、受信信号は、加入者ユニット１２と基地局１４との間に伸びる通信チャンネル１６での加入者ユニット１２によるそれらの伝送を行なわせるように周波数的に変換されるか、他の態様で変えられる。
基地局１４で受信された信号は交換センタ３２に向けられ、その後相互接続ユニット３６に与えられる。相互接続ユニットは音声信号をモデム３８の音声ポートに与え、かつデータ信号をそのデータポートに与えるように動作する。音声およびデータ信号はＰＳＴＮ４２を通して通常の態様で伝送され、その後音声およびデータのモデム４８によりパーソナル計算装置４６に与えられる。
パーソナル計算装置４６で発生された音声およびデータ信号は逆の態様でポータブル計算装置２２に伝送される。相互接続ユニット３６は音声およびデータのモデムから音声信号を受信して、下に述べられるようにＨＤＬＣプロトコル手順に従ってモデム３８で受信された信号の音声部分をフォーマットしＨＤＬＣプロトコル手順に従ってフォーマットされた被フォーマット信号を基地局１４に向けるように動作する。
基地局１４はこれら信号を無線通信チャンネルにより加入者ユニット１２に伝送し、この加入者ユニットは無線通信チャンネルで計算装置２２へのそのトランシーバ回路１８によるそれらの伝送を可能にする形態に信号を変換する。
音声信号はデータ信号と共に伝送されることができるために、音声はデータと共に計算装置２２および４６間で通信されることができる。
図２はＨＤＬＣ手順に従って伝送される例示的な信号の信号伝送プロトコルを示す。ＨＤＬＣプロトコル手順において、音声およびデータ信号はデジタル化され、デジタル化音声およびデータ信号のビットのシーケンスは共にフレームを形成するようにシーケンス化される。情報のフレームは、図１に示される加入者ユニット１２およびポータブル計算装置２２のトランシーバ回路１８および２４のような、通信システムの送信および受信位置間で通信される。
通常、ＨＤＬＣプロトコル手順はこのようなプロトコル手順によって定められる番号付き情報フレームでデータ信号を伝送するように使用されている。本発明の一実施例はデータ信号を伝送するために番号付き情報フレームを同様用いるが、ＨＤＬＣプロトコル手順で同様定められる番号無し情報フレームが音声信号を伝送するために使用される。
図２はＨＤＬＣプロトコル手順に従ってフォーマットされた例示的な通信信号の一部を示す。４つの番号付き情報フレームＩ１、Ｉ２、Ｉ３およびＩ４が示されており、これらのそれぞれはデータ信号のフレームを送信する。そして、１つの番号無し情報フレームＵＩ１が番号付き情報フレーム間に挿入されるように示されており、この番号無し情報フレームは音声信号情報を形成する。このようなフレームは変調されて無線通信チャンネルで伝送される。このようなフレームを受信する受信機は番号付き情報フレームの受信を確認応答し、受信機キューにこのようなフレームを記憶する。このような態様で伝送誤差が検出されて、伝送誤差が検出された場合に番号付き情報フレームが再伝送されることができる。
逆に、番号無し情報フレームの受信は確認応答されず、この番号無し情報フレームは受信機キューに記憶されない。その代わりに、番号無しフレームは特定の受信応用によって処理されるように使用される。番号無し情報フレームが音声信号を形成する時には、このようなフレームはそれに含まれた音声信号を処理するために音声処理回路に与えられる。
番号無し情報フレームを形成する音声信号の信頼性は検査されないが、番号無し情報フレームの伝送速度はこのようなフレームが直接音声処理回路に与えられるために減少されない。実在のＨＤＬＣプロトコル手順で定められる番号無し情報フレームとして通話のバーストが伝送されることができる。他形式のプロトコル手順が音声をデータと共に伝送するために同様に使用され得る。
ボイスページング・ボイスメールおよびマルチメディア応用のような、無線通信を利用する電子的通信装置がＨＤＬＣプロトコル手順を使用して音声およびデータ信号の通信を効果的に行なうことができる。
図３は図１で前に示された例示的ポータブル計算装置２２を示す。この計算装置はその一部としてトランシーバ回路２４を含んでいる。トランシーバ回路２４は音声信号のデータ信号と一緒の伝送を行なわせ、かつそれに伝送された音声およびデータ両信号の受信を行なわせる。
トランスジューサ６６は音響信号を電気の形態に変換し、これはライン６８によりアナログ対デジタル変換器７２に与えられる。変換器７２はライン７４にデジタル化された音声信号を発生し、これは上で図２に関連して説明された番号無し情報フレームを形成するフォーマッタ７６に与えられる。
データ、ここではメモリ素子７８に記憶されているデータはライン８２によりフォーマッタ８４に与えられ、このフォーマッタは番号付き情報のフレームとしてデータ信号をフォーマットする。フォーマッタ７６および８４によって発生されたフレームはそれぞれライン８８および９２によりマルチプレクサ８６に与えられる。
マルチプレクサ８６はそれに与えられる情報のフレームを多重化してライン９４に多重化信号を発生するように動作し、この多重化信号は送信機９６に与えられる。送信機９６は情報のフレームを変調して無線通信チャンネルでその送信が行なわせるようにする。
一実施例において、マルチプレクサ８６はフォーマッタ８４によって発生された番号付き情報フレームを通過させるように動作し、番号無し情報フレームがフォーマッタ７６によって発生された時には、多重化信号を形成するためにこのような番号無し情報フレームを挿入するように動作する。このような態様で、フォーマッタ７６でフォーマットされた音声信号は音声信号の即時伝送を行なわせるように遅れ無しで多重化信号に即時に挿入される。データ信号のスループット速度はデータ信号の伝送のスループットレベルに比較して重要性が小さいため、多重化信号の一部を形成するための番号無し情報フレームの多重化信号への即時挿入は音声信号の高速伝送を行なわせる。
更に、装置２２のトランシーバ回路２４は装置２２に対して伝送された番号付き情報フレームおよび番号無し情報フレームの受信を行なわせる。受信信号は受信機１０２によって変換され、その後アナログ対デジタル変換器１０４によってデジタル化される。変換器１０４によって発生されたデジタル化信号はライン１０６により検出器１０８に与えられる。検出器１０８は、受信信号のどのフレームが番号付き情報フレームを形成しかつどのフレームが番号無し情報フレームを形成するかを検出する。
番号付き情報フレームは受信機キュー１１４に記憶されるようにライン１１２で伝送され、抽出器１１６は番号無し情報フレームを抽出しライン１２２により出力トランスジューサ１１８のような応用装置にあるいは例えばライン１２４によりメモリ素子７８にこのような情報フレームを直接与える。その後、受信機キュー１１４に記憶されているデータはライン１２６によりメモリ装置７８に与えられるかあるいはライン１２８により出力トランスジューサ１１８に与えられることができる。それによって、音声およびデータ信号の２方向通信がＨＤＬＣプロトコル手順を用いて可能となる。
図４は図１に前に示された本発明の一実施例の加入者ユニット１２を示す。この無線電話装置１２はその一部を形成するトランシーバ回路１８を含むように同様図示されている。前に記載したように、トランシーバ回路１８はポータブル計算装置へのおよびそれからの音声およびデータ信号を送受信するように動作する。
ここでは、トランシーバ回路は計算装置によって送信された信号を受信する受信機部分１５２と信号をポータブル計算装置に送信する送信機部分１５４とを含むように図示されている。受信機部分１５２はダウンミキサー１５６に選択的に結合され、送信機部分１５４はアップミキサー１５８に選択的に結合される。ダウンミキサーおよびアップミキサー１５６および１５８はプログラマブルシンセサイザ１６２によって発生されたアップミキシングおよびダウンミキシング信号を通常の態様で受けるように結合されている。更に、装置１２はこの無線電話装置１２の通常の動作を行なわせるようにトランシーバ回路を備えた無線電話回路１６４を含んでいる。この回路１６４もダウンミキサー１５６およびアップミキサー１５８に選択的に結合される。
スイッチ素子１６６は無線電話回路１６４あるいはトランシーバ回路１１８のいずれかをアップミキサーおよびダウンミキサー１５６および１５８に接続する。適切なスイッチ位置へのスイッチ素子１６６の動作は通常の態様での無線電話装置１２の動作を行なわせるかあるいはポータブル計算装置へのおよびそれからの信号のトランシーバ動作を行なわせる。
このような態様で、共に伝送される音声およびデータ信号はポータブル計算装置２２のようなポータブル計算装置と他の計算装置との間で公衆電話交換網によって通信されることができる。他の実施例において、無線電話装置１２は、この無線電話装置で発生された音声およびデータ信号を通信システムの固定の下部構造に伝送させるようにするためにポータブル計算装置２２の部分を形成する回路に類似する回路を含んでいる。
本発明の一実施例の動作はデータ信号および音声信号を一緒にデータチャンネル上で伝送させるようにする。データ信号の通信は選択したレベルの信頼性で行なわれ、音声信号の通信は選択したスループットレベルで行なわれる。それにより、ボイスメール、ボイスページング、マルチメディアおよび他のボイス・オーバ・データの応用で使用されるもののような通話のバーストが無線データチャンネルで伝送されるようになる。無線電話装置に関連して使用される時には、音声およびデータ信号はポータブルコンピュータのような周辺装置と無線電話装置との間で通信されることができる。また、同様のこのよう信号は無線電話装置および無線電話通信システムの下部構造間でも通信されることができる。ケーブルにより周辺装置および無線電話装置を接続する必要性は無くなり、音声およびデータの両信号を通信するため別々の通信チャンネルを同時に用いる必要性も無くなる。
前の記載は本発明を構成化するための好適実施例のものであり、本発明の範囲はこの記載によって必ずしも限定されるべきではない。本発明の範囲は以下の請求の範囲によって限定される。
【図１】
0003862757.tif 000002
【図２】
0003862757.tif 000003
【図４】
0003862757.tif 000004
【図３】
0003862757.tif 000005